(57)【要約】【課題】水槽で使用する水切り収納容器の使用範囲を拡大し使い勝手を向上することを目的とする。【解決手段】水槽７の一部を外方に膨出して形成した膨出部７ａに係止して使用する収納容器にあって、上面開口の容器本体１０と、押さえ枠１２を備え、前記容器本体１０の上面開口部１０ａに上方に突出した固定枠１１と水槽７の周辺に係止する係止部１０ｃを有し、前記固定枠１１の外側に前記押さえ枠１２を着脱自在に嵌り込むことが可能な構成とすることにより、水切り用の袋１３の使用を選択することにより、大きさおよび性状の異なる収納物の収納が可能となり、水切り収納容器の使用範囲を拡大することができる。【選択図】図１
2006274711.tif 000002
【特許請求の範囲】
【請求項１】
水槽の一部を外方に膨出して形成した膨出部に係止して使用する収納容器にあって、上面開口の容器本体と、押さえ枠を備え、前記容器本体は上面開口部に上方に突出した固定枠と水槽の周辺に係止する係止部を有し、前記固定枠の外側に前記押さえ枠を着脱自在に嵌り込むことが可能な水切り収納容器。
【請求項２】
固定枠は容器本体の上面開口部の一部の範囲に設けた請求項１に記載の水切り収納容器。
【請求項３】
容器本体を線材で構成した請求項１または２に記載の水切り収納容器。
【発明の詳細な説明】
【技術分野】
【０００１】
本発明は流し台の水槽で使用する水切り収納容器に関するものである。
【背景技術】
【０００２】
従来、この種の水切り収納容器は、水槽の膨出部の上縁に排水機能を備えたトレーを設置し生ごみや洗剤等の物品を収納している（例えば、特許文献１参照）。
【０００３】
図４は、特許文献１に記載された従来の水切り収納容器を示すものである。図４に示すように、水槽１の膨出部２の上縁にトレー３を係止し、トレー３に洗剤４等の物品を収納できるように構成されている。
【特許文献１】実開平２−１４８０６８号公報
【発明の開示】
【発明が解決しようとする課題】
【０００４】
しかしながら、前記従来の構成では、収納容器であるトレーは一定の形状であるため、それに収納する物品の形状および性状は狭い範囲に限られたものであり、また複数の性状の物品を一緒に収納することは難しいという課題を有していた。
【０００５】
本発明は、前記従来の課題を解決するもので、水槽で使用する水切り収納容器に水切り用袋を装着可能とすることにより、使用範囲を拡大し使い勝手を向上した水切り収納容器を提供することを目的とする。
【課題を解決するための手段】
【０００６】
前記従来の課題を解決するために、本発明の水切り収納容器は、上面開口の容器本体と、押さえ枠を備え、前記容器本体は上面開口部に上方に突出した固定枠と水槽の周辺に係止する係止部を有し、前記固定枠の外側に前記押さえ枠を着脱自在に嵌り込むことが可能としたものである。
【０００７】
これによって、大きな物を収納するときは水切り用の袋を装着せずに使用し、袋を装着して使用することにより小物やごみを収納することが可能となる。
【発明の効果】
【０００８】
本発明の水切り収納装置は、水切り用の袋の使用を選択することにより、大きさおよび性状の異なる収納物の収納が可能となり、水切り収納容器の使用範囲を拡大することができる。
【発明を実施するための最良の形態】
【０００９】
第１の発明は、水槽の一部を外方に膨出して形成した膨出部に係止して使用する収納容器にあって、上面開口の容器本体と、押さえ枠を備え、前記容器本体は上面開口部に上方に突出した固定枠と水槽の周辺に係止する係止部を有し、前記固定枠の外側に前記押さえ枠を着脱自在に嵌り込むことが可能な構成とすることにより、水槽の膨出部に係止した容器本体内に、水切り用の袋を挿入し固定枠に袋の口縁部を被着し、押さえ枠を嵌め込むことにより袋は容器本体に装着することができ、袋の中にごみや小物を収納することが可能となる。また、袋を装着しなければ大きな物の収納が可能であり、袋の装着を選択することにより水切り収納容器の使用範囲を拡大することができる。
【００１０】
第２の発明は、特に、第１の発明の固定枠を容器本体の上面開口部の一部の範囲に設けたことにより、容器本体の一部に水切り用の袋を装着し、残りの部分はそのままで使用することができ、ごみや小物の収納と大きな物の収納が同時にできるとなり水切り収納容器の使用範囲がより拡大し、使い勝手が向上する。
【００１１】
第３の発明は、特に、第１または第２の発明の容器本体を線材で構成したことにより、容器本体の側面および底面は全て網状に構成されることとなりとなり、水切り性能、通気性能が向上するため収納物の保管状態を向上することができる。
【００１２】
以下、本発明の実施の形態について、図面を参照しながら説明する。なお、この実施の形態によって本発明が限定されるものではない。
【００１３】
（実施の形態１）
図１は本発明の第１の実施の形態における水切り収納容器の斜視図を示すものであり、図２は本発明の水切り収納容器に袋を装着した状態の斜視図を示し、図３は水切り収納容器に袋を装着した状態の断面図を示すものである。
【００１４】
図１に示すように流し台５のワークトップ６設置した水槽７の後方中央部は後方に膨出した膨出部７ａが形成してあり、膨出部７ａの両側部はワークトップ６も上面よりわずかに段落ちしたデッキ部７ｂが形成してある。水槽７の底面７ｃの後方には排水口８が設置してあり、排水口の一部は前記膨出部７ａ内に侵入する位置に配置してある。
【００１５】
左右のデッキ部７ｂ上面の膨出部７ａ近傍には係止体９が設置してある。係止体９は上下部に大径部９ａと中央部に小径部９ｃを備えた略糸巻き形状となっている。
【００１６】
ステンレス製の線材でかご状に構成した容器本体１０の上面開口部１０ａの外周部には枠状の上面枠１０ｂが溶接で固定してある。上面枠１０ｂの後方の両角部には外方突出した係止部１０ｃが形成してあり、前記水槽７のデッキ部７ｂに設置した係止体９の小径部９ｃに着脱自在に係合している。
【００１７】
容器本体１０の上面枠１０ｂより突出して、略長方形の固定枠１１が容器本体１０に溶接により固定してある。固定枠は容器本体１０の上面開口部１０ａの一部の面積をカバーする大きさであり、上面開口部１０ａの残りの部分は固定枠１１の外側エリア１０ｄとして開口している。
【００１８】
固定枠１１よりわずかに大きい略相似形の押さえ枠１２が準備してあり、固定枠の外側にわずかな隙間を設けて着脱自在に設置できる構成となっている。
【００１９】
また、上記構成により、図２、図３に示すように固定枠１１の上方より容器本体１０内に軟質樹脂や繊維材料で形成した水切り用の袋１３を設置し、袋１３の口縁部１３ａを固定枠１１に披着し、その上から抑え枠１２を嵌め込むことにより袋１３を開口した状態で装着できる構成となっている。
【００２０】
以上のように構成された水切り収納容器について、以下その動作、作用を説明する。
【００２１】
まず、容器本体１０の係止部１０ｃをデッキ部７ｂの係止体９に係止し、容器本体１０を水槽７の膨出部７ａ設置する。収納容器１０の上方より水切り用の袋１３を固定枠１１の内部に挿入し、袋１３の口縁部１３ａを外側に折り曲げて固定枠１１に披着する。この状態で押さえ枠１２を上方より嵌め込むことにより、袋１３の口縁部１３ａは固定枠１１と押え枠１２の間に狭持され、上方に開口した状態となるので、生ごみあるいは容器本体１０の網目から脱落する小物類を収納することができる。
【００２２】
一方、固定枠１１の外側エリア１０ｄに対応する容器本体１０内には網目から脱落しない大きさのキッチン用の洗剤やたわし等の比較的大きい物を収納することができる。
【００２３】
以上のように、本実施の形態においては容器本体の上面に上方に突出した固定枠と着脱自在な押さえ枠を備えることにより、水槽の膨出部に係止した容器本体内に、水切り用の袋を挿入し固定枠に袋の口縁部を被着し、押さえ枠を嵌め込むことにより袋を容器本体に装着することができ、袋の中に生ごみや小物を収納することが可能となり、また、大きなものは袋の外側に収納することが可能であり、水切り収納容器の使用範囲を拡大することができる。
【００２４】
なお、本実施の形態においては容器本体内に水切り用の袋を装着したが、生ごみや小物を収納しないときは袋を装着する必要はなく、そのまま使用することでより簡単に使用することができる。
【００２５】
また、固定枠は容器本体の上面開口の一部の範囲に設けたが、これに限るものではなく、上面開口の全ての範囲に設置してもよく、また、複数の固定枠と押さえ枠を設けることにより、収納物を分別して収納することが可能となる。
【００２６】
また、本実施の形態においては容器本体はステンレスの線材を使用したかご状のものを使用したが、これに限るものではなく、底面に排水口を設けた樹脂成型品や金属の板金加工によるもの等が考えられ、この場合収納容器の前面を密閉した構成とすることにより、収納物を見えにくくすることができ、生ごみの収納等には適したものになる。
【産業上の利用可能性】
【００２７】
以上のように、本発明にかかる水切り収納容器は、大きさや性状の異なる物の収納が可能となるので、洗面台や浴室ユニットなどの用途にも適用できる。
【図面の簡単な説明】
【００２８】
【図１】本発明の実施の形態１における水切り収納容器の斜視図
【図２】本発明の実施の形態１における水切り収納容器に袋を装着した状態の斜視図
【図３】本発明の実施の形態１における水切り収納容器に袋を装着した状態の断面図
【図４】従来の水切り収納容器の斜視図
【符号の説明】
【００２９】
７  水槽
７ａ  膨出部
１０  容器本体
１０ａ  上面開口部
１０ｃ  係止部
１１  固定枠
１２  押さえ枠
【図１】
2006274711.tif 000003
【図２】
2006274711.tif 000004
【図３】
2006274711.tif 000005
【図４】
2006274711.tif 000006